(57)【要約】  本発明は、表示技術分野に関し、特に、従来技術に存在している従来の張設方法によりサブマスクにしわが生じる問題点を解決するためのサブマスクの張設方法及びマスク、パネルに関する。本発明の実施例によれば、張設装置は、張設されるサブマスクの４つの角部に位置するクランプ領域を挟み、当該サブマスクが位置している平面内で、第１の張力で当該サブマスクの長辺の延在方向と第１の夾角を成す方向に沿って当該サブマスクを引っ張ることによって、サブマスクの短辺の延在方向においても分力を生じるように確保することで、サブマスクが当該サブマスクの長辺の延在方向において引っ張られるだけでなく、当該サブマスクの短辺の延在方向においても引っ張られるようにさせる。従って、サブマスクのしわの現象を減少し、サブマスクの平坦度を向上させ、且つ、実現しやすい。
2019523340.tif 000002
【特許請求の範囲】
【請求項１】
張設されるサブマスクの４つの角部に位置するクランプ領域を挟むステップと、
前記サブマスクが位置している平面内で、第１の張力で前記サブマスクの長辺の延在方向と第１の夾角を成す方向に沿って、前記サブマスクを引っ張るステップと、
前記サブマスクの平坦度が第１の基準値に達した場合に、前記サブマスクを固定するステップと、
を含むサブマスクの張設方法。
【請求項２】
前記第１の張力は、前記サブマスクの中心に対して対称になる請求項１に記載の張設方法。
【請求項３】
前記第１の張力のうちの少なくとも２つの張力は、前記サブマスクの中心が位置する軸線に対して対称になる請求項１に記載の張設方法。
【請求項４】
前記第１の張力の前記サブマスクの短辺の延在方向における分力は、前記サブマスクのサイズの比率が減少するにつれて減少され、
前記サブマスクのサイズの比率は、前記サブマスクの短辺と長辺との比率である
請求項１に記載の張設方法。
【請求項５】
引っ張り過程中で、前記第１の張力の前記サブマスクの短辺の延在方向における分力は、一定である請求項１に記載の張設方法。
【請求項６】
前記サブマスクが位置している平面内で、第１の張力で前記サブマスクの長辺の延在方向と第１の夾角を成す方向に沿って、前記サブマスクを引っ張るステップは、
変化する第１の張力で、変化する第１の夾角の方向に沿って前記サブマスクを引っ張るステップ、又は、
一定の第１の張力で、一定の第１の夾角の方向に沿って前記サブマスクを引っ張るステップを、
含む請求項５に記載の張設方法。
【請求項７】
引っ張り過程中で、前記第１の張力の前記サブマスクの短辺の延在方向における分力は、徐々に減少される請求項１に記載の張設方法。
【請求項８】
前記サブマスクが位置していう平面内で、第１の張力で前記サブマスクの長辺の延在方向と第１の夾角を成す方向に沿って、前記サブマスクを引っ張るステップは、
一定の第１の張力で、徐々に減少される第１の夾角の方向に沿って前記サブマスクを引っ張るステップ、又は、
徐々に減少される第１の張力で、一定の第１の夾角の方向に沿って前記サブマスクを引っ張るステップを、
含む請求項７に記載の張設方法。
【請求項９】
前記第１の夾角の取り得る値の範囲は、０°より大きく９０°より小さい範囲である請求項１〜８のいずれか１項に記載の張設方法。
【請求項１０】
マスクフレームと、前記マスクフレームに固定された複数のサブマスクと、を備え、
前記サブマスクは、請求項１〜９のいずれか１項に記載の張設方法によって張設されるマスク。
【請求項１１】
前記サブマスクの材質は、金属である請求項１０に記載のマスク。
【請求項１２】
請求項１０又は請求項１１に記載のマスクにより作製される基板。
【請求項１３】
請求項１２に記載の基板を備える表示装置。
【請求項１４】
張設されるサブマスクの４つの角部に位置するクランプ領域を挟むクランプ機構と、
前記クランプ機構に接続され、前記サブマスクが位置している平面内で、第１の張力で前記サブマスクの長辺の延在方向と第１の夾角をなす方向に沿って前記サブマスクを引っ張るように、方向を変更させることができる回転軸と、
を備える張設装置。
【発明の詳細な説明】
【技術分野】
【０００１】
本発明は、表示技術分野に関し、特に、サブマスクの張設方法及びマスク、パネルに関する。
【背景技術】
【０００２】
現在、蒸着工程において、超精細マスクを用いて有機発光材を基板の所定の位置に蒸着することが多いが、超精細マスクの平坦度は蒸着の効果に直接に影響を与える。パネルの解像度が高いほど、必要となる超精細マスクが精細であるので、超精細マスクの平坦度に対する要求が高くなっている。
【発明の概要】
【発明が解決しようとする課題】
【０００３】
本発明の実施例は、従来技術に存在している従来の張設方法によりサブマスクにしわが生じる問題点を解決するために、サブマスクの張設方法及びマスク、パネルを提供する。
【課題を解決するための手段】
【０００４】
本発明の実施例は、以下の技術手段を用いている。
サブマスクの張設方法であって、前記方法は、
張設されるサブマスクの４つの角部に位置するクランプ領域を挟むステップと、
前記サブマスクが位置している平面内で、第１の張力で前記サブマスクの長辺の延在方向と第１の夾角を成す方向に沿って、前記サブマスクを引っ張るステップと、
前記サブマスクの平坦度が第１の基準値に達した場合に、前記サブマスクを固定するステップと、を含む。
【０００５】
選択的に、前記第１の張力は、前記サブマスクの中心に対して対称になる。
【０００６】
選択的に、前記第１の張力のうちの少なくとも２つの張力は、前記サブマスクの中心が位置する軸線に対して対称になる。
選択的に、前記第１の張力の前記サブマスクの短辺の延在方向における分力は、前記サブマスクのサイズの比率が減少するにつれて減少され、
ここで、前記サブマスクのサイズの比率は、前記サブマスクの短辺と長辺との比率である。
【０００７】
選択的に、引っ張り過程中で、前記第１の張力の前記サブマスクの短辺の延在方向における分力は、一定である。
選択的に、前記サブマスクが位置している平面内で、第１の張力で前記サブマスクの長辺の延在方向と第１の夾角を成す方向に沿って、前記サブマスクを引っ張るステップは、具体的に、変化する第１の張力で、変化する第１の夾角の方向に沿って前記サブマスクを引っ張るステップ、又は、
一定の第１の張力で、一定の第１の夾角の方向に沿って前記サブマスクを引っ張るステップを含む。
【０００８】
選択的に、引っ張り過程中で、前記第１の張力の前記サブマスクの短辺の延在方向における分力は、徐々に減少される。
【０００９】
選択的に、前記サブマスクが位置している平面内で、第１の張力で前記サブマスクの長辺の延在方向と第１の夾角を成す方向に沿って、前記サブマスクを引っ張るステップは、    
【００１０】
具体的に、
一定の第１の張力で、徐々に減少される第１の夾角の方向に沿って前記サブマスクを引っ張るステップ、又は、
徐々に減少される第１の張力で、一定の第１の夾角の方向に沿って前記サブマスクを引っ張るステップを含む。
【００１１】
選択的に、前記第１の夾角の取り得る値の範囲は、０°より大きく９０°より小さい範囲である。
【００１２】
マスクであって、マスクフレームと、前記マスクフレームに固定された複数のサブマスクと、を備え、ここで、前記サブマスクは、前記張設方法によって張設される。
【００１３】
選択的に、前記サブマスクの材質は、金属である。
【００１４】
基板であって、前記マスクにより作製される。
表示装置であって、前記基板を備える。
【００１５】
張設装置であって、
張設されるサブマスクの４つの角部に位置するクランプ領域を挟むクランプ機構と、
前記クランプ機構に接続され、前記サブマスクが位置している平面内で、第１の張力で前記サブマスクの長辺の延在方向と第１の夾角を成す方向に沿って前記サブマスクを引っ張るように、方向を変更させることができる回転軸と、を備える。
【００１６】
以下、本発明の実施例の技術手段をより明確に説明するために、実施例の説明において用いられる図面を簡単に説明する。下記の説明における図面は単なる本発明の実施例の一つにすぎず、当業者にとって、創造的な努力を払わずに、これらの図面に基づいて他の図面を得ることができるのは勿論である。
【図面の簡単な説明】
【００１７】
【図１】超精細マスクの構造を示す模式図である。
【図２】張設方法を用いてサブマスクを引っ張る原理を示す模式図である。
【図３】本発明に係るサブマスクの張設方法のフローチャートである。
【図４（ａ）】本発明に係る張設方法を用いてサブマスクを引っ張る原理を示す模式図である。
【図４（ｂ）】本発明に係る張設方法を用いてサブマスクを引っ張る原理を示す模式図である。
【図５】本発明においていずれかのクランプ領域における力の分析を示す模式図である。
【発明を実施するための形態】
【００１８】
以下、本発明の目的、技術手段及び利点をより明確するために、図面を参照しながら本発明をさらに詳細に説明する。説明する実施例は本発明の単なる実施例の一部にすぎず、実施例の全部ではないことは勿論である。本発明の実施例に基づき、当業者にとって創造的な努力を払わずに得られる他の実施例の全部は、いずれも本発明の保護しようとする範囲に含まれる。
【００１９】
以下、具体的な実施例を通じて本発明に係る技術手段を詳細に説明し、本発明は、以下の実施例を含むが、これらに限定されるものではない。
【００２０】
図１は、超精細マスクの構造を示す模式図である。図１に示すように、超精細マスクは、いずれも複数のサブマスク１１により突き付けられ、それぞれはマスクフレーム１２に固定されている。しかしながら、各サブマスクの平坦度が高くなるようにしようとする場合、張設方法を用いて各サブマスクに対して引っ張り処理を行う必要がある。具体的に、従来のサブマスクの張設方法において、張設装置がサブマスクの４つのクランプ領域を挟み、且つ張設装置による水平張力によってサブマスクを引っ張り、サブマスクをレーザーでマスクフレームに溶接する。図２は、張設方法を用いてサブマスクを引っ張る原理を示す模式図である。図２に示すように、張設装置がサブマスク２１の４つの角部のクランプ領域Ａに接触され、当該接触領域Ａはサブマスク２１の力を受ける領域である。サブマスク２１に対する力の分析から分かるように、このとき、サブマスク２１は主に張設装置による水平張力Ｆ１及び水平張力Ｆ１と反対である水平張力Ｆ２を受けており、張力は、サブマスク２１内で誘電体材料の伝達によって拡散されることで、サブマスク２１が受けた力をテンションさせる。図２から分かるように、サブマスクの長辺の左右両側において受ける力が大きいので、大きく変形され、中央において受ける力が小さいので、小さく変形される。長辺の延在方向において力を受けているので、短辺はその延在方向において変形され、ひいては、サブマスクの全体を貫通するしわが生じる。従って、サブマスクの平坦度に厳しく影響を与えるので、その後の蒸着プロセスに影響を与え、製品の歩留まりを低下させる。
【００２１】
図３に示すように、図３は、本発明に係るサブマスクの張設方法のフローチャートであり、この方法は、主に下記のステップを含む。
【００２２】
ステップ３１：張設装置は張設されるサブマスクの４つの角部に位置するクランプ領域を挟み、前記サブマスクが位置している平面内で、第１の張力で前記サブマスクの長辺の延在方向と第１の夾角を成す方向に沿って前記サブマスクを引っ張る。
【００２３】
ステップ３２：前記サブマスクの平坦度が第１の基準値に達した場合に、前記サブマスクを前記マスクフレームに固定し、この時前記張設装置は引っ張りを停止する。
【００２４】
ここで、平坦度の第１の基準値は経験値に基づいて設定でき、リアルタイムでサブマスクの平坦度を監視することができる。即ち、力の印加過程において、センサーによってリアルタイムで力の印加によるサブマスクの表面の平坦度を取得することで、第１の基準値に達したか否かを分析して比較し、第１の基準値に達すると、サブマスクの平坦度は既に飽和に達し、且つ垂れ及びしわの現象は既に最低に減少されていることを説明するので、レーザーでサブマスクをマスクフレームに溶接し固定することができる。その後、従来の方法によりクランプ領域を切断し、トリミングを行う。また、第１の基準値に達していない場合に、平坦度が第１の基準値の位置に達されるまで、力の印加操作をさらに実行する必要がある。
【００２５】
なお、本発明に係る張設装置は、従来の張設装置であってもよい。張設装置は、サブマスクの４つのクランプ領域を挟むためのクランプ機構であり、第１の張力の方向を変更させるように、方向を変更させることができる回転軸により制御されてもよい。
【００２６】
図４（ａ）に示すように、張設装置は、張設されるサブマスク４１の４つの角部に位置するクランプ領域Ａを挟み、且つ、当該サブマスク４１が位置している平面内で、第１の張力Ｆで当該サブマスク４１の長辺の延在方向（Ｘ方向）と第１の夾角θを成す方向に沿って当該サブマスク４１を引っ張り、これによって、サブマスク４１の短辺の延在方向（Ｙ方向）においても分力を生じるように確保することで、サブマスク４１が当該サブマスク４１の長辺の延在方向において引っ張られるだけでなく、当該サブマスク４１の短辺の延在方向においても引っ張られるようにさせる。従って、サブマスク４１のしわの現象を減少し、サブマスクの平坦度を向上させることができる。
【００２７】
上記の張設方法では、各クランプ領域の力の印加状況が異なってもよいが、張設後の平坦度を向上させるためには、選択的に、ステップ３１では、具体的に、サブマスクが位置している平面内で、第１の張力でサブマスクの長辺の延在方向と第１の夾角を成す方向に沿って、サブマスクの中心に対して対称的にサブマスクを引っ張るように実行される。ここで、対称的に引っ張るということは、各クランプ領域における第１の張力がいずれも同じであり、第１の夾角も同じであることである。実際には、精細マスクの種類を考慮すると、その厚さが比較的に薄いため、引っ張り過程中には、対称的な引っ張りは張設の実現をより良く確保でき、且つ不均一的な引っ張りにより破断される等の問題を回避することができる。
【００２８】
また、ステップ３１は、さらに、少なくとも２つのクランプ領域に対して、サブマスクが位置している平面内で、第１の張力でサブマスクの長辺の延在方向と第１の夾角を成す方向に沿って、サブマスクの中心が位置する軸線に対して対称的にサブマスクを引っ張るように実行されることができる。例えば、図４（ｂ）に示すように、サブマスクの左側の２つのクランプ領域のみに対して第１の夾角を有する引っ張り操作を行い、且つ、サブマスクの中心が位置している軸線Ｍに対して対称的に引っ張るが、右側の２つのクランプ領域に対しては、従来技術により引っ張る。或いは、サブマスクの上側の２つのクランプ領域のみに対して第１の夾角を有する引っ張り操作を行い、且つ、サブマスクの中心が位置している軸線（Ｙ方向における軸線）に対して対称的に引っ張り、これによって下側の２つのクランプ領域に対しては、従来技術により引っ張りを行う。サブマスクの厚さが比較的に薄いことを考えれて、サブマスクが引っ張り過程中で破断されることを回避するように、第１の張力の大きさを合理的に設定することができる。
【００２９】
また、異なる精細マスクは、そのサイズが異なり、それに含まれているサブマスクのサイズも異なる。これをを考えて、選択的に、サブマスクのサイズの比の値が減少することにつれて、第１の張力のサブマスクの短辺の延在方向における分力は減少される。ここで、サブマスクのサイズの比率とは、サブマスクの短辺と長辺との比率である。一例を挙げて説明すると、短辺と長辺との比が１／５であるサブマスクに対して、クランプ領域に印加される適切な第１の張力のサブマスクの短辺の延在方向における分力はｆ１であり、短辺と長辺との比が１／６であるサブマスクに対して、クランプ領域に印加される適切な第１の張力のサブマスクの短辺の延在方向における分力はｆ１＊４／５である。或いは、短辺と長辺との比が１／５であるサブマスクに対して、クランプ領域に印加される適切な第１の張力のサブマスクの短辺の延在方向における分力はｆ１であり、短辺と長辺との比が１／６であるサブマスクに対して、クランプ領域に印加される適切な第１の張力のサブマスクの短辺の延在方向における分力はｆ１＊５／６である。ここで、上記で挙げられた数値は単なる例示的なものであり、その具体的な比例関係は、サブマスクの実際のサイズ及び材質に応じて決定される必要がある。
【００３０】
本発明の実施例では、上記の方法から分かるように、少なくとも１つのクランプ領域における第１の張力は、サブマスクの短辺の延在方向において分力を有すれば、サブマスクの張設過程中で生じるしわの問題を改善することができる。好ましくは、４つのクランプ領域における第１の張力がいずれもサブマスクの短辺の延在方向において分力を有するようにさせることができ、このようにして、改善効果をより効果的に向上させることができる。具体的に、実現する方法は柔軟であり、下記のとおりであってもよい。張設装置は、不変の第１の張力で変化する第１の夾角に沿ってサブマスクを引っ張り；或いは、張設装置は、変化する第１の張力で不変の第１の夾角に沿ってサブマスクを引っ張り；或いは、張設装置は、変化する第１の張力で変化する第１の夾角に沿ってサブマスクを引っ張り；或いは、張設装置は、不変の第１の張力で不変の第１の夾角に沿ってサブマスクを引っ張る。ここで、第１の張力の不変又は変化とは、いずれも第１の張力の大きさを指している。また、張設装置の第１の張力は、予め１つの開始値を設定しておくことができ、変化する第１の張力は、当該開始値から増加又は減少されるものとする。第１の夾角も類似しており、予め１つの開始値を設定しておくことができ。
【００３１】
一つの好ましい実現手段において、非対称的な引っ張りであるか対称的な引っ張りであるにかかわらず、引っ張り過程中で、第１の張力のサブマスクの短辺の延在方向における分力は一定である。したがって、引っ張りの安定性を確保することができる。
【００３２】
具体的に、第１の張力のサブマスクの短辺の延在方向における分力を一定にしようとする場合、以下の２つの方法によって実現できる。
【００３３】
方法１：張設装置は、変化する第１の張力で変化する第１の夾角の方向に沿ってサブマスクを引っ張る。
【００３４】
具体的に、図５に示すいずれかのクランプ領域における力の分析を示す模式図を参照すると、張設装置は、その印加する第１の張力Ｆの大きさを制御し、その変化の傾向は徐々に増加したり、徐々に減少したり、或いは、不規則に変化してもよい。これに対して、第１の張力Ｆのサブマスクの短辺の延在方向における分力ｆｙが一定になるように、第１の張力Ｆとサブマスクの長辺の延在方向とが成す第１の夾角θを、第１の張力Ｆに互いに合わせる必要がある。実際には、次の式が挙げられる。
【００３５】
第１の張力Ｆのサブマスクの短辺の延在方向における分力：ｆｙ＝Ｆ＊ｓｉｎθであり、
第１の張力Ｆのサブマスクの長辺の延在方向における分力：ｆｘ＝Ｆ＊ｃｏｓθである。
【００３６】
本発明において、分力ｆｘは、その大きさが一定であってもよいし、一定でなくてもいが、これは短辺の延在方向において生じるしわの現象の改善に影響を与えないので、重要な要素ではない。したがって、ｆｙ＝Ｆ＊ｓｉｎθにおいて、ｆｙが一定になるようにする場合、Ｆとｓｉｎθとを反比例にし、方法１では、第１の張力と第１の夾角とはいずれも変化するものであり、そして、両者の間の反比例の関係を考慮して、Ｆとｓｉｎθとを常に互いに合わせて変化させる。例えば、第１の張力がＦからＦ／２に変化すると、第１の夾角の正弦値は２ｓｉｎθに変化する。また、第１の張力及び第１の夾角は、ランダムに初期値を定義することができるので、この場合は、１つの基準パラーメータを確定すべきである。例えば、先に第１の張力をある初期値に設定することができ、この時、第１の夾角の初期値は、第１の張力の選択された初期値に応じて選択できる。
【００３７】
当該方法１によれば、様々な張設の力の印加方法を実現することができるので、張設手段の柔軟性を向上させるとともに、張設の実施後のサブマスクのしわの問題を減少して、サブマスクの平坦度を向上させることができる。
【００３８】
方法２：張設装置は、一定の第１の張力で一定の第１の夾角の方向に沿ってサブマスクを引っ張る。
【００３９】
図５に示すように、ｆｙ＝Ｆ＊ｓｉｎθにおいて、ｆｙが一定になるようにする場合、Ｆとｓｉｎθとを反比例にし、方法２では、第１の張力と第１の夾角とはいずれも一定であるものであり、そして、両者の間の反比例の関係を考慮して、Ｆとｓｉｎθとは常に互いに合わせて変化させる。例えば、第１の張力をＦ／２にすると、第１の夾角の正弦値は２ｓｉｎθに選択し、且つ、張設過程中の全体にわたって、第１の張力の大きさ及び方向を変更させない。しかしながら、異なるサブマスクに対して張設を行う際に印加する第１の張力は異なってもよいが、一旦張設過程中で行われる引っ張り操作が開始すると、第１の張力及び第１の夾角は変化しない。
【００４０】
当該方法２に係る張設方法は、簡単で、張設によるサブマスクの張設量産化を実現し易いとともに、張設実施後のサブマスクのしわの問題を減少して、サブマスクの平坦度を向上させることができる。
【００４１】
その他のより好ましい実現手段において、引っ張り過程中では、第１の張力のサブマスクの短辺の延在方向における分力が徐々に減少される。実際には、引っ張り過程が徐々に完成されるプロセスであることを考えて、引っ張りに必要となる第１の張力は当該プロセスにおいて徐々に減少されることこそ、引っ張りの規則にぴったりに合う。そして、サブマスクはだんだん薄くなるので、その後の引っ張りに必要となる第１の張力のサブマスクの短辺の延在方向における分力は、平坦度の向上に応じて徐々に減少されることができる。したがって、引っ張りすぎてサブマスクが破断されることを回避できる。
【００４２】
具体的に、式ｆｙ＝Ｆ＊ｓｉｎθを参照し続けて、第１の張力のサブマスクの短辺の延在方向における分力が徐々に減少されるようにしようとする場合、下記の２つの方法によって実現できる。
【００４３】
方法３：張設装置は、一定の第１の張力で徐々に減少される第１の夾角の方向に沿ってサブマスクを引っ張る。
【００４４】
図５に示すように、継続して張設装置が印加する第１の張力の大きさを変化させず、第１の張力の大きさがＦであることを一例とする場合、初期の第１の夾角は、取り得る値の範囲内で任意で設定できる。例えば、初期の第１の夾角θを６０°にし、当該第１の夾角が同じステップ又は異なるステップで徐々に減少されるように設定することができる。したがって、第１の夾角とサブマスクとの間の関係を発見することで、操作及び機器構造を簡略化し、張設のコストを低減させることに有利である。また、この方法によれば、サブマスクの短辺方向における引っ張りが無くなるまで均一に減少されるように確保して、サブマスクの破断を回避することができる。
【００４５】
方法４：張設装置は、徐々に減少される第１の張力で一定の第１の夾角の方向に沿ってサブマスクを引っ張る。
【００４６】
図５に示すように、張設装置が印加する第１の張力の大きさは、同じステップの幅又は異なるステップの幅で徐々に減少される場合、第１の夾角は変化しない。例えば、経験値によって、又は、第１の夾角をランダムで一定の角度θに設定することによって、第１の張力はＦから減少し始めることができる。当該方法４によれば、サブマスクの長辺及び短辺の２つの方向における引っ張りは、いずれも無くなるまで均一に減少されるように確保することで、引っ張りがもう十分である状況下で、張力を増大し続けて、サブマスクが破断されることを回避することができる。
【００４７】
選択的に、サブマスクの短辺の延在方向において分力を生じる必要があることを考えると、第１の夾角の取り得る値の範囲は０°より大きく９０°より小さい範囲である。なお、ここの第１の夾角は、いずれも鋭角を指し、長辺の延在する左右２つの方向を考慮せずに、長辺と鋭角をなす第１の夾角のみを考慮している。
【００４８】
また、本発明の実施例は、さらにマスクを提供する。当該マスクは、主に、マスクフレームと、マスクフレームに固定されている複数のサブマスクと、を備え、サブマスクは、上記のいずれかの張設方法を用いて得られる。
【００４９】
選択的に、蒸着に必要となる精細マスクに延性の良好な金属を用いられること多いことを考えて、本発明に係るサブマスクの材質は金属である。
【００５０】
また、本発明は、さらにパネルを提供する。当該パネルは、上記の提供されるマスクにより作製されるものである。選択的に、当該パネルは、ＯＬＥＤパネルである。
【００５１】
上記のマスクの張設過程中では、第１の夾角の張設方法を用いているので、サブマスクの短辺の延在方向においても分力が生じるので、サブマスクのしわの現象を減少し、マスクの平坦度を向上させることができ、さらに、当該マスクを用いて作製されるパネルの各マスク層の蒸着品質を確保することができる。
【００５２】
本発明の効果は、下記のとおりである。
【００５３】
上記手段によれば、張設装置は、張設されるサブマスクの４つの角部に位置するクランプ領域を挟み、且つ、当該サブマスクが位置している平面内で、第１の張力で当該サブマスクの長辺の延在方向と第１の夾角を成す方向に沿って当該サブマスクを引っ張ることによって、サブマスクの短辺の延在方向においても分力が生じるように確保することで、サブマスクが当該サブマスクの長辺の延在方向において引っ張られるだけでなく、当該サブマスクの短辺の延在方向においても引っ張られるようにさせ、従って、サブマスクのしわ現象を減少し、サブマスクの平坦度を向上させる、且つ、実現し易くすることができる。
【００５４】
以上、本発明の好ましい実施例を説明してきたが、当業者であれば、本発明の基本的な創造性概念を獲得した後、これらの実施例に対して他の変更及び修正を行うことができる。したがって、添付した請求の範囲は、好ましい実施例及び本発明の範囲内に入るすべての変更及び修正を含むと解釈されることが意図される。明らかに、当業者は、本発明の思想及び範囲から逸脱することなく、本発明に対して様々な変更及び変形を行うことができる。このように、本発明のこれらの変更及び変形が本発明の請求の範囲及び均等の技術範囲内に含まれる場合に、本発明はこれらの変更及び変形を含むことが意図される。
【符号の説明】
【００５５】
１１  サブマスク
１２  マスクフレーム
２１  サブマスク
４１  サブマスク
【図１】
2019523340.tif 000003
【図２】
2019523340.tif 000004
【図３】
2019523340.tif 000005
【図４（ａ）】
2019523340.tif 000006
【図４（ｂ）】
2019523340.tif 000007
【図５】
2019523340.tif 000008
【国際調査報告】
2019523340.tif 000009
2019523340.tif 000010
2019523340.tif 000011
2019523340.tif 000012